(57)【要約】【課題】特にＤＶＤ光ディスクの映像を放映する際、自由に異なる放映機器が選べるスイッチ装置を提供する。【解決手段】数個のアウトプット１２，１３とインプット１１、並びに映像デコーダ，音声転換器，ＳＲＡＭを具有するコントローラ１０とより構成し、インプット１１とＤＶＤ放映器２とを連結させ、同時にアウトプットを一つずつそれぞれテレビ４とパソコン３に連結させ、ＤＶＤ放映器２の音と映像のシグナルをデジタルとアナログ間で転換させ、スイッチ装置１の切換えにより、ＤＶＤ放映器２の音と映像のシグナルをテレビ４或いはパソコン３より選択されて放映する。【選択図】　　　　図２
0003098363.tif 000002
【実用新案登録請求の範囲】
【請求項１】
インプット及びコントローラと数個のアウトプットとを含むスイッチ装置において、
ＤＶＤ放映器と連結し、音と映像のシグナルを入力する該インプットと、
映像デコーダ，音声転換器，ＳＲＡＭとを具有し、該インプットからの映像と音のシグナルをデジタルとアナログ間で転換する該コントローラと、
ＤＶＤ放映器以外のテレビ受信及びビデオ再生の視聴設備と連結される該アウトプットとを具有し、
使用者が切換えを行うことによって、ＤＶＤ光ディスクの音と映像がテレビなどの視聴設備、或いはパソコンなどで放映及び放送されることを特徴とするスイッチ装置。
【請求項２】
前記コントローラのアウトプットはＡＶ端子用のソケットであることを特徴とする請求項１記載のスイッチ装置。
【請求項３】
前記コントローラのアウトプットはＵＳＢ用のソケットであることを特徴とする請求項１記載のスイッチ装置。
【考案の詳細な説明】
【０００１】
【考案の属する技術分野】
本考案はスイッチ装置に係り、特に、使用者が切換えを行うことで、ＤＶＤ光ディスクの音と映像のシグナルを、選択性を以ってテレビなどのＤＶＤ放映器以外のテレビ受信及びビデオ再生の視聴設備やパソコンなどに伝送して放映放送する、或いはパソコンにＤＶＤ放映器を外接するためのスイッチ装置の技術分野に属する。
【０００２】
【従来の技術】
従来公知における一般の家庭用のＤＶＤ放映器では、音と映像のアウトプットとテレビのインプットとを連結させることにより、使用者がＤＶＤ放映器内の光ディスクをテレビで観賞できるようになっている。
一方、昨今では技術の進歩に伴い、家庭で娯楽目的として、或いは仕事でのデータ処理などの目的で使用したり等、あらゆる目的でパソコンの普及が進んでいる。よって、データはハードディスクに保存する以外は、フレキシブルディスクや光ディスクに保存するのでは容量が小さすぎるといった問題が起こっている。では、比較的容量の大きいもの、特に音声や映像などを保存しようとする際、現在ではＤＶＲにより、保存しやすく容量の大きいといった長所を具有する一種の光ディスクであるＶＣＤに焼き込みを行う方法が用いられている。こうして焼き込みの行われたＶＣＤ光ディスクは、データの読み取りが行われるパソコンのＣＤ‐ＲＯＭやその他のＶＣＤ放映器を利用して、映像を見ることができるようになっている。
【０００３】
【考案が解決しようとする課題】
しかし、上述のＶＣＤ放映器では、且つ容量が大きく、且つ、画質が更に優れた光ディスクであるＤＶＤの映像を見ることができず、一般のパソコンでも同様にＤＶＤ光ディスクを見る装置が設けられていないのが現状であり、コンピュータでテレビなどの視聴設備で放映されている内容を観ようとする場合は、その他の設備を準備しなければならないなど、ＤＶＤ光ディスクを容易に見ることがまだまだ困難となっている。
本考案はこれらの欠点に鑑みなされたもので、その課題は、特に、ＤＶＤ光ディスクの映像を放映する際、使用者が自由に異なる放映機器が選べるようなスイッチ装置を提供するものである。
【０００４】
【課題を解決するための手段】
上記の課題を解決するために、請求項１の考案は、インプット及びコントローラと数個のアウトプットとを含むスイッチ装置において、ＤＶＤ放映器と連結し、音と映像のシグナルを入力する該インプットと、映像デコーダ，音声転換器，ＳＲＡＭとを具有し、該インプットからの映像と音のシグナルをデジタルとアナログ間で転換する該コントローラと、ＤＶＤ放映器以外のテレビ受信及びビデオ再生の視聴設備と連結される該アウトプットとを具有し、使用者が切換えを行うことによって、ＤＶＤ光ディスクの音と映像がテレビなどの視聴設備、或いはパソコンなどで放映及び放送されることを特徴とするスイッチ装置である。
請求項２の考案は、前記コントローラのアウトプットはＡＶ端子用のソケットであることを特徴とする請求項１記載のスイッチ装置である。
請求項３の考案は、前記コントローラのアウトプットはＵＳＢ用のソケットであることを特徴とする請求項１記載のスイッチ装置である。
すなわち、上記各考案は、数個のアウトプットとインプット、並びに映像デコーダ，音声転換器，ＳＲＡＭ（Ｓｔａｔｉｃ　Ｒａｎｄｏｍ　Ａｃｃｅｓｓ　Ｍｅｍｏｒｙ）を具有するコントローラとより構成し、インプットとＤＶＤ放映器とを連結させ、同時にアウトプットを一つずつそれぞれテレビとパソコンに連結させ、ＤＶＤ放映器の音と映像のシグナルをデジタルとアナログ間で転換させ、スイッチ装置の切換えにより、ＤＶＤ放映器の音と映像のシグナルをテレビ或いはパソコンより選択されて放映する。
【０００５】
【考案実施の形態】
本考案の好適な実施例を図面を参照しつつ説明する。
図１，２に示すように、本考案の実施例のスイッチ装置１には、主にインプット１１とコントローラ１０及び数個のアウトプット１２，１３が設けられており、該コントローラ１０内には映像デコーダ，音声転換器及びＳＲＡＭ（Ｓｔａｔｉｃ　Ｒａｎｄｏｍ　Ａｃｃｅｓｓ　Ｍｅｍｏｒｙ）が設けられている（該アウトプット１３はＵＳＢとする）。
実際に使用する際には、該スイッチ装置１のアウトプット１１とＤＶＤ放映器２を連結させ、更に該コントローラ１０のＵＳＢアウトプット１３とパソコン３とを連結させ、更にもう一つのアウトプット１２をＡＶ端子によって、テレビなどの家庭における視聴覚設備（テレビなど）４と連結させる。
こうして本考案の実施例におけるスイッチ装置１に、インプット１１の連結が完成したら、ＤＶＤ光ディスクを該ＤＶＤ放映器２内に入れ、これを起動させるが、該コントローラ１０のスイッチにより適切な放映装置（即ちここではテレビ４かパソコン３）の選択を行い、該ＤＶＤ光ディスクの内容を放映する。
【０００６】
本考案の実施例中、該コントローラ１０はＩＤＴＱ３１６２１１型のＩＣで制御するものであり、該ＩＣを「Ｈ」に切り替えるとテレビ４で放映される状態になり、該ＩＣを「Ｌ」に切り替えると該コントローラ１０が該映像デコーダによって該ＤＶＤ放映器２内の光ディスクのコードを解読し、更にデジタルとアナログ間で映像と音声を転換する。整合後、ＵＳＢアウトプット１３からパソコン３に伝送され、モニタと音響設備でそれぞれ映像と音声となる。このとき本実施例では放映先が該テレビ４からパソコン３に転換されているが、放映装置はテレビ４やパソコン３とは限らない。
【０００７】
【考案の効果】
ＤＶＤ放映器が設置されていないパソコンは、従来ではＶＣＤディスクは読み取れたものの、ＤＶＤ光ディスクは読み取れなかったのが、本考案によるとＤＶＤ放映器とパソコンとテレビを整合することにより、随時放映装置を選択することで簡単に映像と音声を楽しむことができるようになったと同時に、パソコンにＤＶＤ放映器を外接する形で設置できることから、該パソコンの利用価値を強化するという効果が得られる。
【図面の簡単な説明】
【図１】本考案の実施例におけるスイッチ装置のブロックチャートを示す図である。
【図２】本考案の実施例での使用状態を示す図である。
【符号の説明】
１　スイッチ装置
１０　コントローラ
１１　インプット
１２　アウトプット
１３　ＵＳＢアウトプット
２　ＤＶＤ放映器
３　パソコン
４　家庭の視聴設備（テレビなど）
【図１】
0003098363.tif 000003
【図２】
0003098363.tif 000004